(57)【要約】【課題】オスコネクタとメスコネクタが離脱できなくなったり、ひび割れの発生等がなくなる接続部材及び医療用具を提供すること。【解決手段】固定具（１０）は、内壁面に螺合部（１１）が形成され、後端内壁面に係止部（１２）が形成され、前記固定具（１０）は、前記オスコネクタ（２）ないしオスコネクタ（２）後方部に接続されたチューブ（Ｔ）の途中に遊嵌され、オスコネクタ（２）のテーパー状突起部（３）を、メスコネクタ（１５）のテーパー状管状体（１７）に挿入し、さらに固定具（１０）を回転させて、オスコネクタ（２）とメスコネクタ（１５）の接合部を外周から締め付ける際に、必要以上に締め付けすぎないように固定具（１０）先端がストッパ部（１９）で抑止されるように形成した接続部材（１）。【選択図】図１
0003108468.tif 000002
【実用新案登録請求の範囲】
【請求項１】
オスコネクタ（２）と固定具（１０）とメスコネクタ（１５）から構成され、
オスコネクタ（２）は、前方部にテーパー状突起部（３）、中間部に係止部（４）、後方部にチューブ接続部（７）を形成し、
前記メスコネクタ（１５）は、後方部に前記オスコネクタ（２）のテーパー状突起部（３）が挿入可能なテーパー状管状体（１７）、前方部にチューブ接続部（１６）、後方部の外周に係止部（１８）、テーパー状管状体（１７）の外周に固定具（１０）先端のストッパ部（１９）を形成し、
前記固定具（１０）は、内壁面に螺合部（１１）が形成され、後端内壁面に係止部（１２）が形成され、
前記固定具（１０）は、前記オスコネクタ（２）ないしオスコネクタ（２）後方部に接続されたチューブ（Ｔ）の途中に遊嵌され、
オスコネクタ（２）のテーパー状突起部（３）を、メスコネクタ（１５）のテーパー状管状体（１７）に挿入し、さらに固定具（１０）を回転させて、オスコネクタ（２）とメスコネクタ（１５）の接合部を外周から締め付ける際に、必要以上に締め付けすぎないように固定具（１０）先端がストッパ部（１９）で抑止されるように形成した、ことを特徴とする接続部材（１）。
【請求項２】
請求項１に記載の接続部材（１）を含むことを特徴とする医療用具。
【考案の詳細な説明】
【技術分野】
【０００１】
本考案は、固定具（例えばルアーロック）付接続部材（例えばオスコネクタとメスコネクタ）の改良に関する。接続部材の接合部を固定具で締め付ける際、必要以上に締め付けないようにした接続部材に関する。本願の接続部材は、血液の体外循環回路、カテーテル類、輸液・輸血セット等の医療用具に使用される。
【背景技術】
【０００２】
図３は、現在使用されている接続部材５１とその使用状態図で、オスコネクタ５２とメスコネクタ６５を接合し、メスコネクタ６５の後方部に形成した係止部６７を固定具６０の内壁面に形成した螺合部６１に係止して、固定具６０を回転させて、内壁面に形成した螺合部６１により、接合部の外周から締め付けて固定するようにしている。
このように固定部材６０を、回転させて、その螺合部６１により、接合部の外周を締め付けているので、締め付ける力が強すぎるとオスコネクタとメスコネクタが離脱できなくなったり、ひび割れが発生する等の難点があった。
【０００３】
また特許文献１に、オスコネクタと固定具とメスコネクタから構成される接続具の発明が記載されている。
特許文献１は、固定具の後端の係止部を、オスコネクタの係止部（ストッパ）付近に形成された段部（溝）に回転できるように嵌合したもので、固定具を正逆回転することにより、オスコネクタ２とメスコネクタ１５を取り外しできるようにしているものである。
また特許文献２には、オスコネクタとメスコネクタを接続するときに、これらの接合部に固定部を回転して固定し、メスコネクタをオスコネクタから取りはずすとき、固定部を逆回転し、固定部が離脱しないように固定部の係止部を、オスコネクタの係止部に係止するようにしたものである。
しかしながら、特許文献１、特許文献２に記載の発明では、前記課題を解決することができない。
【特許文献１】実開昭６２−１１６７４０号公報（第１図、第２図）
【特許文献２】特表２００４−５２３２７６号公報（第１図〜第４図）
【考案の開示】
【考案が解決しようとする課題】
【０００４】
解決しようとする問題点は、固定部で締め付ける力が強すぎるとオスコネクタとメスコネクタが離脱できなくなったり、ひび割れが発生する点である。
【課題を解決するための手段】
【０００５】
そこで本考案者は以上の課題を解決するために、鋭意検討を重ねた結果次の発明に到達した。
［１］本考案は、オスコネクタ（２）と固定具（１０）とメスコネクタ（１５）から構成され、
オスコネクタ（２）は、前方部にテーパー状突起部（３）、中間部に係止部（４）、後方部にチューブ接続部（７）を形成し、
前記メスコネクタ（１５）は、後方部に前記オスコネクタ（２）のテーパー状突起部（３）が挿入可能なテーパー状管状体（１７）、前方部にチューブ接続部（１６）、後方部の外周に係止部（１８）、テーパー状管状体（１７）の外周に固定具（１０）先端のストッパ部（１９）を形成し、
前記固定具（１０）は、内壁面に螺合部（１１）が形成され、後端内壁面に係止部（１２）が形成され、
前記固定具（１０）は、前記オスコネクタ（２）ないしオスコネクタ（２）後方部に接続されたチューブ（Ｔ）の途中に遊嵌され、
オスコネクタ（２）のテーパー状突起部（３）を、メスコネクタ（１５）のテーパー状管状体（１７）に挿入し、さらに固定具（１０）を回転させて、オスコネクタ（２）とメスコネクタ（１５）の接合部を外周から締め付ける際に、必要以上に締め付けすぎないように固定具（１０）先端がストッパ部（１９）で抑止されるように形成した接続部材（１）を提供する。
［２］本考案は、［１］に記載の接続部材（１）を含む医療用具を提供する。
【考案の効果】
【０００６】
オスコネクタ２とメスコネクタ１５の接合部を外周から締め付ける際に、固定具１０の先端が、メスコネクタ１５のストッパ部１９で抑止される。このとき使用者は指先に抵抗を感じるので、固定具１０で、オスコネクタ２とメスコネクタ１５の接合部を外周から必要以上に締め付けることがなくなり、オスコネクタとメスコネクタが離脱できなくなったり、ひび割れの発生等がなくなる。
【考案を実施するための最良の形態】
【０００７】
図１と図２は本考案の接続部材１の概略図で、図１はオスコネクタとメスコネクタを接続する前、図２はオスコネクタとメスコネクタを接続した状態の概略図である。
【０００８】
本考案の接続部材１は、オスコネクタ２と固定具１０とメスコネクタ１５から構成される。
［オスコネクタ］
オスコネクタ２は、前方部にテーパー状突起部３、中間部に係止部４、後方部にチューブ接続部７を形成している。
係止部４はテーパー状突起部３をメスコネクタ１５のテーパー状管状体１７に挿入するときに、係止部１２が乗り越えて、固定具１０が前方に移動するのを防ぐストッパの役割を果たす。
【０００９】
［固定具１０］
固定具１０は、内壁面に螺合部１１が形成され、後端内壁面に係止部１２が形成されている。螺合部１１は、メスコネクタ１５の係止部１８に係止される。
固定具１０は、オスコネクタとメスコネクタの接合部を外側から覆って固定できるものであれば何でも採用することができる。例えばルアーロック（ロックナットともいう）等を使用することができる。
［メスコネクタ１５］
メスコネクタ１５は、後方部に前記オスコネクタ２のテーパー状突起部３が挿入可能なテーパー状管状体１７、前方部にチューブ接続部１６、後方部の外周に係止部１８、テーパー状管状体１７の外周に固定具１０先端のストッパ部１９を形成している。係止部１８は固定具１０の螺合部１１と係止される。
ストッパ部１９は、固定具１０が回転してメスコネクタ１５方向に移動するのを抑止できれば、どのような形態でも採用することができる。例えば図１、図２に例示するように、連続した環状突起でも良いし、不連続の環状突起でもよい。突起の数は、最低４個もあれば良い。
【００１０】
本考案の接続部材１の使用方法の一例について説明する。
（１）図１、図２に例示するように、オスコネクタ２の後方部に接続されているチューブＴの途中に遊嵌されている固定具１０を、オスコネクタ２の外周まで移動させ（オスコネクタ２の外周に遊嵌し）、オスコネクタ２のテーパー状突起部３を、メスコネクタ１５のテーパー状管状体１７に挿入し、メスコネクタ１５の係止部１８を固定具１０の螺合部１１に係止する。
（２）固定具１０を回転させて、オスコネクタ２とメスコネクタ１５の接合部を外周から締め付ける際に、固定具１０の先端がストッパ部１９抑止されるまで、固定具１０を回転させる。
（３）固定具１０が回転してメスコネクタ１５方向に移動するのをストッパ部１９で抑止できる。このとき使用者は指先に抵抗を感じるので、固定具１０で、オスコネクタ２とメスコネクタ１５の接合部を外周から必要以上に締め付けることがなくなり、オスコネクタとメスコネクタが離脱できなくなったり、ひび割れの発生等がなくなる。
ストッパ部１９のテーパー状管状体１７への形成位置、オスコネクタ２のテーパー状突起部３と、メスコネクタ１５のテーパー状管状体１７の長さ等の組み合わせを調整することにより、本考案の目的を達成することができる。
【図面の簡単な説明】
【００１１】
【図１】本考案の接続部材の概略図（オスコネクタとメスコネクタの接続前）
【図２】本考案の接続部材の概略図（オスコネクタとメスコネクタの接続後）
【図３】従来の接続部材とその使用方法の概略図
【符号の説明】
【００１２】
１  接続部材
２  オスコネクタ
３  （前方部）テーパー状突起部
４  （中間部）係止部
７  （後方部）管状体（チューブ接続部）
１０  固定具（ルアーロック）
１１  螺合部
１２  係止部
１５  メスコネクタ
１６  （前方部）管状体（チューブ接続部）
１７  （後方部）テーパー状管状体
１８  係止部
１９  ストッパ部
Ｔ  チューブ
【図１】
0003108468.tif 000003
【図２】
0003108468.tif 000004
【図３】
0003108468.tif 000005